(57)【要約】【課題】清掃時などに、椅子の脚部を床面から離脱させる収納部を設けた椅子収納部付机を提供すること。【解決手段】机１は、上板１ａと、複数の脚部７と、下板１ｂと、下板の複数の隅部に形成される貫通孔１ｃと、貫通孔に上下動自在に挿入される柱状部４ａ、および当該柱状部の上部に設けられ、柱状部が下方に移動した際に下板で保持されるストッパ１０からなる吊り具４と、柱状部の下部に固定され椅子配置方向に開口部を形成した受け台２とを備える。柱状部を下方に移動させて、受け台の開口部に椅子５の坐板１２を支持する支柱６を挿通し、この際に形成される下板と受け台との間の収納部３に椅子の坐板下側を挿入して受け台に縣架し、椅子の脚部を床面から離脱させた状態で机に収納する。【選択図】図１
2011193998.tif 000002
【特許請求の範囲】
【請求項１】
少なくとも上板と、
前記上板の両側の側部を支持する複数の脚部とを備え、
前記上板の下方側と複数の脚部との間に形成される空間に椅子を収納する収納部を設けた椅子収納部付机であって、
前記収納部に椅子を縣架する縣架手段を設け、当該縣架手段に椅子の座板下側を縣架し、椅子の脚部を床面から離脱させた状態で机に収納することを特徴とする、椅子収納部付机。
【請求項２】
上板と、
前記上板の両側の側部を支持する複数の脚部と、
前記上板と所定の間隔で配置され前記複数の脚部に固定される下板と、
前記下板の複数の隅部に形成される貫通孔と、
前記貫通孔に上下動自在に挿入される柱状部、および当該柱状部の上部に設けられ、柱状部が下方に移動した際に前記下板で保持されるストッパーからなる吊具と、
前記柱状部の下部に固定され椅子配置方向に開口部を形成した受け台と、
を備えた机であって、
前記柱状部を下方に移動させて、前記受け台の開口部に椅子の坐板を支持する支柱を挿通し、この際に形成される前記下板と受け台との間の空間に椅子の坐板下側を挿入して受け台に縣架し、椅子の脚部を床面から離脱させた状態で机に収納することを特徴とする、椅子収納部付机。
【請求項３】
前記柱状部の長さを可変として、前記下板と受け台との間の空間を伸縮可能としたことを特徴とする、請求項１に記載の椅子収納部付机。
【請求項４】
前記ストッパーは機械的強度が異なる複数種類のセットを備えており、かつ、前記柱状部から取り外し可能に構成し、椅子の重量に応じてストッパーを交換して前記柱状部に取り付けることを特徴とする、請求項１または請求項２に記載の椅子収納部付机。
【請求項５】
前記受け台は、少なくとも前記椅子の坐板下側と接する面を金属板としたことを特徴とする、請求項１ないし請求項３のいずれかに記載の椅子収納部付机。
【請求項６】
上板と、
前記上板の両側の側部を支持する複数の脚部と、
前記上板と所定の間隔で配置される下板と、
前記下板の両側に立設させて前記上板および下板に固定される側板と、を備え、
前記側板の下側には切り欠きを設けて椅子の座板の両側側縁部が挿入できるようにすると共に、前記側板と前記複数の脚部との間に間隔を設け、
椅子の座板下側を縣架する縣架板を前記下板の表面に開口部に向けて滑動自在に配置し、前記縣架板を開口部側に引き出して椅子の座板下側を縣架し、椅子の脚部を床面から離脱させた状態で、前記下板と縣架板で形成される収納部に椅子を収納することを特徴とする、椅子収納部付机。
【発明の詳細な説明】
【技術分野】
【０００１】
本発明は、椅子収納部付机に関するものである。
【背景技術】
【０００２】
学校の教室には、生徒、学生１人ずつに机と椅子がセットで配置されている。放課後などには、床面の清掃が行われる。この際に、できるだけ床の露出面を大きくして効果的に床面からゴミや埃を除去することが求められている。
【０００３】
特許文献１には、床面の清掃やスペースの有効利用を図るために、机に椅子を収納する収納部を設けた箱型収納家具が記載されている。この例では、机として使用する蓋体カウンター部材にセットで収納椅子を配置して、椅子が不要な場合には机下面のスペースに椅子を移動して収納するように構成されている。特許文献１は、家庭用などの箱型収納家具に関するが、前記した学校などの清掃時においても同様に机下面のスペースに椅子を移動させて収納することが多い。また、椅子を反転させて持ち上げ、椅子の坐面を机の上面に重ねて清掃し、清掃が終了すると椅子を再度反転させて床面に配置することも行われている。
【先行技術文献】
【特許文献】
【０００４】
【特許文献１】特開２００９−１８３４４５号公報
【発明の概要】
【発明が解決しようとする課題】
【０００５】
解決しようとする問題点は、特許文献１では、椅子を机下面のスペースに収納する際に椅子の脚部は床面に接触した状態であるために、床面を清掃する妨げとなり十分な清掃効果が得られないことが挙げられる。また、椅子を反転させて机に重ねることは、時間がかかり作業が煩雑になるという問題がある。
【課題を解決するための手段】
【０００６】
本発明は、このような問題点の解決を図るものであり、机に椅子の懸架手段を設け、清掃時などに椅子の脚部が床面から離脱させて収納するように構成したことを最も主要な特徴とする。
【発明の効果】
【０００７】
本発明は、学校などの清掃時に、椅子を机下面のスペースに収納することによって、床の露出面を大きくすることができ、効果的に床面からゴミや埃を除去することができる、という利点がある。
【図面の簡単な説明】
【０００８】
【図１】第１の実施形態の椅子収納部付机を示した斜視図である。
【図２】図１の机の立面を示した正面図である。
【図３】第１の実施形態の机に収納される椅子の側面を示した側面図である。
【図４】図３の椅子の立面を示した正面図である。
【図５】図１の机で図３の椅子を収納する際の受け台を示した平面図である。
【図６】図３の椅子を図１の机の収納部に収納した状態を部分的に示す説明図である。
【図７】図１の机の受け台を支える吊り具を示した説明図である。
【図８】図１の机のストッパを示した説明図である。
【図９】図３の椅子を図１の机の収納部に収納した状態の立面を示した正面図である。
【図１０】第２の実施形態の机に収納される４脚椅子を示す斜視図である。
【図１１】第２の実施形態の椅子収納部付机を示した斜視図である。
【図１２】図１１の机の立面を示した正面図である。
【図１３】図１１の机に設ける縣架板を示す説明図である。
【発明を実施するための形態】
【０００９】
床の露出面を大きくして効果的に床面からゴミや埃を除去するという目的を、椅子を机下面のスペースに収納することによって、実現した。
【実施例１】
【００１０】
図１は、本発明にかかる第２の実施形態にかかる椅子収納部付机の斜視図である。図１において、１は椅子収納部付机であり、上板１ａと下板１ｂ、および両側の脚部１５との間に形成される空間部に書籍や手回り品などを収納する。上板１ａと下板１ｂは、適宜の手段により両側の脚部１５に固定される。下板１ｂと受け台２との間に、椅子収納部３を設ける。下板１ｂの所定の位置には、複数個所に、例えば４個所に貫通孔１ｃを形成する。当該貫通孔１ｃには、吊り具４の柱状部４ａを挿通する。吊り具４の下端部は、受け台２に設けた固定部２ａに固定される。固定部２ａは、柱状部４ａをねじ込みで固定しても良いし、柱状部４ａの下端にフランジ部を設け、受け台２の下面に接着剤などで固定しても良い。この場合には、柱状部４ａを受け台２の下側から、固定部２ａに設けた貫通孔２ｂ、下板１ｂに形成されている貫通孔１ｃを通して立設する。吊り具４の上端部には、図示を省略したストッパーを設ける。受け台２の中央部付近には、略Ｕ字状の溝１１を形成する。
【００１１】
図２は、机の立面を示した正面図である。吊り具４の柱状部４ａの上端には、ストッパ１０の固定部４ｂが設けられている。ストッパ１０には、ねじ穴１０ａを形成する。固定部４ｂは、例えば柱状部４ａにねじ山を形成し、ストッパ１０に形成したねじ穴１０ａをねじ込んでストッパ１０を吊り具４の柱状部４ａに固定する。
【００１２】
図３は、椅子収納部付机１に収納される椅子の例を示す側面図である。図３に示すように、この椅子５は、中央部付近に設けた支柱６、脚部７、脚部７の下部に設けられ床面と接触する車輪（キャスタ）８、背もたれ９、座板１２、固定部１３で構成されている。支柱６の上端は、座板１２の下面１２ａで固定され、支柱６の下端は、固定部１３で固定されている。図４は、椅子５の正面図である。
【００１３】
図５は、受け台を示す平面図である。受け台２には、図１で説明したように吊り具４の柱状部４ａの下端部を固定する固定部２ａが設けられている。固定部２ａには貫通孔２ｂが形成される。固定部２ａは、この例では受け台２の四隅に設けられており、貫通孔２ｂも四隅の４個所に形成されている。
【００１４】
図６は、椅子５を椅子収納部付机の下面に収納した状態を示す説明図である。図６は、図９の矢視Ａ方向から、すなわち椅子５を受け台２に縣架した状態を椅子収納部付机１の下方向から見た説明図である。図６に示されているように、椅子５の支柱６は、椅子収納部付机１の受け台２に設けたＵ字状の溝１１に挿入され、椅子５の座板１２の下面１２ａが受け台２の表面に接触している。このように、椅子５の座板１２の下面１２ａが受け台２の表面に接触して出し入れされるので、受け台２が木製の場合には摩耗により傷が付いたり、傷が形成されている個所にゴミが付着して汚れが目立つなどの問題がある。そこで、受け台２が木製の場合には、受け台２の表面にステンレスやアルミなどの金属板を被覆することにより、このような問題を解決することができる。
【００１５】
図７は、受け台を支える吊り具を示した説明図である。柱状部４ａの上端には、つなぎ板４ｃとの係合部を設けている。図７（ｂ）に示すように、つなぎ板４ｃは、ねじ山を形成した円柱部と、断面６角形の貫通孔４ｄを形成した角柱部４ｄからなる。ねじ山を形成した円柱部は、ストッパ１０の固定部４ｂに相当する。図７（ａ）に示すように、柱状部４ａにもつなぎ板４ｃに形成した断面６角形の貫通孔４ｄに対応する貫通孔４ｅを形成している。この例では、柱状部４ａの断面形状は矩形状としている。つなぎ板４ｃに形成した貫通孔４ｄと柱状部４ａに形成した貫通孔４ｅは、それぞれ上下方向に複数配列する。図７（ｃ）は、断面形状が６角形の固定ピン４ｆを示している。固定ピン４ｆは、貫通孔４ｄと貫通孔４ｅに挿入され柱状部４ａとつなぎ板４ｃを係合する。なお、柱状部４ａの下端部の受け台２との固定部では、柱状部４ａの形状は矩形状としても良いし、上端部のように円柱状としても良い。
【００１６】
柱状部４ａを上下方向にずらして、つなぎ板４ｃに形成した貫通孔４ｄと柱状部４ａに形成した貫通孔４ｅとの位置合わせを行い、固定ピン４ｆで柱状部４ａとつなぎ板４ｃを係合する。この場合には、椅子の座板１２の厚さに応じて椅子収納部３の上下方向の空間部の大きさが伸縮する。このため、座板１２の厚さに応じて適宜椅子収納部３の空間部を調整して、どのような座板の厚さであっても対応することができる。
【００１７】
図７の例では、貫通孔４ｄと貫通孔４ｅ、固定ピン４ｆの断面形状を６角形としているので、つなぎ板４ｃと柱状部４ａとを安定して係合できるという利点がある。しかしながら、これらの部材の断面形状は６角形に限定されず、円形、矩形など適宜選定することができる。
【００１８】
図８は、ストッパを示した説明図である。図８では、図７で説明したつなぎ板４ｃを省略しており、柱状部４ａの断面形状は円形である。前記したように、柱状部４ａの上端部には、ねじ山を形成した固定部４ｂが設けられている。図８（ｂ）に示すように、ストッパ１０にはねじ孔１０ａが形成されており、固定部４ｂと係合する。
【００１９】
図８（ｃ）、（ｄ）は、ストッパの異なる大きさを示している。図８（ｃ）は、小さなストッパ１０ｄを示しており、長辺の長さが短く厚さも薄い。図８（ｄ）は、小さなストッパ１０ｅを示しており、長辺の長さが長く厚さは厚い。ねじ孔１０ａの径は同じ大きさとなっている。図８（ｃ）のストッパ１０ｄは機械的強度が小さく、図８（ｄ）のストッパ１０ｅは機械的強度が大きい。このように、機械的強度が異なる複数のストッパを用意しておくことにより、椅子の重量に応じて最適なストッパを用いることができる。しかも、柱状部４ａは共通のものを使用できるので、部材の有効利用が図れる。
【００２０】
図９は、椅子を椅子収納部付机の収納部に収納した状態の立面を示した正面図である。図９に示されているように、椅子５の座板１２の下面は受け台２の表面に接触して縣架された状態で椅子収納部３に収納される。この際に、椅子５の脚部７、車輪８は床面Ｆから離脱した状態となっている。このため、床面Ｆの露出面が増大し、効果的に床面Ｆの清掃を行うことができる。
【実施例２】
【００２１】
第１の実施形態にかかる椅子収納部付机５は、椅子収納部に収納する椅子が図３で説明したように座板１２の中央付近に設けた支柱６を有する物に限定される。このため、図１０に示すような４脚を有する椅子は収納できないという問題がある。図１０の斜視図は、背もたれ１９、座板２０、座板２０を支持する４脚の脚部２１を有する椅子１８を示している。このような４脚の脚部２１を設けた椅子は、座板前方に配置した２脚が障害となり、図１に示した椅子収納部付机５では収納できないという問題がある。
【００２２】
図１１は、このような問題を解決するために改良された、本発明の第２の実施形態にかかる椅子収納部付机の斜視図である。図１１において、椅子収納部付机１６は、上板１６ａ、下板１６ｂ、側板１６ｃ、１６ｄを有している。両側の脚部１７、１７は、上板１６を保持する。側板１６ｃ、１６ｄの上側にはフランジ１６ｅ、１６ｆを設け、上板１６ａにねじ止めなどで固定する。また、側板１６ｃ、１６ｄの下側には、切り欠き１６ｇ、１６ｈを設け、椅子１８の座板１６ｂの両側側縁部が挿入できるようにしている。切り欠きが立ち上がる側面と下板１６ｂとをねじ止めなどで固定する。下板１６ｂには、図１３に示すように縣架板２２を前後方向に滑動させる逆凹字状の溝１６ｃ、１６ｄを形成する。この例では、下板１６ｂと縣架板２２が４脚椅子１８の収納部となっており、下板１６ｂの下方の空間部２３に４脚椅子の後方２脚を収納している。
【００２３】
図１２は、図１１の椅子収納部付机１６の正面図である。図１２に示されているように、側板１６ｃ、１６ｄと両側の脚部１７、１７間には、空隙Ｇａ、Ｇｂを形成する。このような空隙Ｇａ、Ｇｂを形成することにより、４脚椅子１８を収納する際に、座板２０の両端と、４脚椅子１８の前方２脚の脚部２１が空隙Ｇａ、Ｇｂに位置することになり、収納が遮られることがない。下板１６ｂと縣架板２２による収納部は、下板１６ｂが座板２０の前方部分を保持し、縣架板２２が座板２０の後方部分を保持する。この場合に、切り欠き１６ｇ、１６ｈの奥行の長さは、座板１６ｂの前方部分を保持することができる程度に設定する。また、下板１６ｂの長辺方向の長さは、座板２０の長辺方向の長さよりも短く設定する。
【００２４】
図１３は、下板１６ｂに形成される縣架板の滑動部と、縣架板の例を示す説明図である。図１３（ａ）は、下板１６ｂに設ける凹字状の溝１６ｉ、１６ｊを形成した例の斜視図である。図１３（ｂ）は、縣架板２２に、前記凹字状の溝１６ｃ、１６ｄと係合する逆凸字状の突起２２ａ、２２ｂを設けた例を示す斜視図である。図１３（ｃ）は、下板１６ｂに縣架板２２を係合し、後方に押し込んだ状態を示している。通常の机と椅子の使用時には、縣架板２２は下板の内部に収納されているので、使用する人の邪魔にならない。図１３（ｄ）は、下板１６ｂから縣架板２２を引き出した状態を示している。縣架板２２は、下板１６ｂの中間部から前方で椅子の重量を縣架し、下板１６ｂから抜け落ちない位置で静止させる。
【００２５】
下板１６ｂに形成される縣架板の滑動部は逆凹字状に形成し、縣架板２２に凸字状の突起を形成して、両者を係合しても良い。また、下板１６ｂに形成される縣架板の滑動部を凸字状の突起とし、縣架板を逆凹字状に形成しても良い。なお、下板１６ｂの下面に逆平行四辺形のアリ溝を形成し、縣架板のこのアリ溝と係合する平行四辺形の突起を設けても良い。この場合には、上板１６ａと下板１６ｂ間のスペースを有効に利用でき、書籍や身の回りの小物などを収納する際に、縣架板に遮られず円滑に行えるという利点がある。
【産業上の利用可能性】
【００２６】
本発明は、オフィスや学校、公民館などの公共施設において、机と椅子が配置されている場所における清掃時や、机と椅子を移動する際に椅子を机に収納する技術に適用できる。
【符号の説明】
【００２７】
１、１６        椅子収納部付机
１ａ、１６ａ    上板
１ｂ、１６ｂ    下板
１ｃ            下板に形成した貫通孔
２              受け台
２ａ            固定部
２ｂ            受け台に形成した貫通孔
３              椅子収納部
４              吊り具
４ａ            柱状部
４ｂ            ストッパの固定部
４ｃ            つなぎ板
４ｄ            つなぎ板の貫通孔
４ｅ            柱状部の貫通孔
４ｆ            固定ピン
５、１８        椅子
６              支柱
７、１７        椅子の脚部
８              車輪
９、１９        背もたれ
１０            ストッパ
１０ａ          ねじ孔
１０ｄ          ストッパ
１０ｅ          ストッパ
１１            Ｕ字状の溝
１２            座板
１２ａ          座板の下面
１３            固定部
１５、１７      机の脚部
１６ｇ、１６ｈ  切り欠き
１６ｉ、１６ｊ  逆凹字状の溝
２２            縣架板
２２ａ、２２ｂ  凸字状の突起
２３            収納部
【図１】
2011193998.tif 000003
【図２】
2011193998.tif 000004
【図３】
2011193998.tif 000005
【図４】
2011193998.tif 000006
【図５】
2011193998.tif 000007
【図６】
2011193998.tif 000008
【図７】
2011193998.tif 000009
【図８】
2011193998.tif 000010
【図９】
2011193998.tif 000011
【図１０】
2011193998.tif 000012
【図１１】
2011193998.tif 000013
【図１２】
2011193998.tif 000014
【図１３】
2011193998.tif 000015
【手続補正書】
【提出日】平成22年8月17日(2010.8.17)
【手続補正１】
【補正対象書類名】特許請求の範囲
【補正対象項目名】全文
【補正方法】変更
【補正の内容】
【特許請求の範囲】
【請求項１】
上板と、
前記上板の両側の側部を支持する複数の脚部と、
前記上板と所定の間隔で配置され前記複数の脚部に固定される下板と、
前記下板の複数の隅部に形成される貫通孔と、
前記貫通孔に上下動自在に挿入される柱状部、および当該柱状部の上部に設けられ、柱状部が下方に移動した際に前記下板で保持されるストッパーからなる吊具と、
前記柱状部の下部に固定され椅子配置方向に開口部を形成した受け台と、
を備えた机であって、
前記柱状部を下方に移動させて、前記受け台の開口部に椅子の坐板を支持する支柱を挿通し、この際に形成される前記下板と受け台との間の空間に椅子の坐板下側を挿入して受け台に縣架し、椅子の脚部を床面から離脱させた状態で机に収納することを特徴とする、椅子収納部付机。
【請求項２】
前記柱状部の長さを可変として、前記下板と受け台との間の空間を伸縮可能としたことを特徴とする、請求項１に記載の椅子収納部付机。
【請求項３】
前記ストッパーは機械的強度が異なる複数種類のセットを備えており、かつ、前記柱状部から取り外し可能に構成し、椅子の重量に応じてストッパーを交換して前記柱状部に取り付けることを特徴とする、請求項１または請求項２に記載の椅子収納部付机。
【請求項４】
前記受け台は、少なくとも前記椅子の坐板下側と接する面を金属板としたことを特徴とする、請求項１ないし請求項３のいずれかに記載の椅子収納部付机。
【請求項５】
上板と、
前記上板の両側の側部を支持する複数の脚部と、
前記上板と所定の間隔で配置される下板と、
前記下板の両側に立設させて前記上板および下板に固定される側板と、を備え、
前記側板の下側には切り欠きを設けて椅子の座板の両側側縁部が挿入できるようにすると共に、前記側板と前記複数の脚部との間に間隔を設け、
椅子の座板下側を縣架する縣架板を前記下板の表面に開口部に向けて滑動自在に配置し、前記縣架板を開口部側に引き出して椅子の座板下側を縣架し、椅子の脚部を床面から離脱させた状態で、前記下板と縣架板で形成される収納部に椅子を収納することを特徴とする、椅子収納部付机。